(57)【要約】【課題】球受部を有する回転体を備えながら、遊技盤の遊技領域に対する入球装置の配置スペースを削減することのできる遊技機を提供する。【解決手段】遊技機が備える入球装置５０は、ケーシング５１と回転体７０とを備える。ケーシング５１は遊技盤１０に装着可能に形成される。ケーシング５１には遊技盤１０の遊技領域１４内を流下する球Ｂを受止め可能な球待機部５５、及び、球待機部５５上でかつ回転体７０の前部を開放する開口窓５４が設けられる。回転体７０は、ケーシング５１に対し遊技盤１０の前面とほぼ平行をなす水平軸７１回りに積極的に回転可能に設けられる。回転体７０には、球待機部５５上の球Ｂを受入れて遊技盤１０の後面側へ移送した後に放出する球受部７２が設けられる。【選択図】　　　図５
2004057494.tif 000002
【特許請求の範囲】
【請求項１】
入球装置を備える遊技機であって、
前記入球装置は、ケーシングと回転体とを備え、
前記ケーシングは、遊技盤に装着可能に形成され、
前記ケーシングには、前記遊技盤の前面側の遊技領域内を流下する球を受止め可能な球待機部、及び、該球待機部上でかつ前記回転体の前部を開放する開口窓が設けられ、
前記回転体は、前記ケーシングに対し前記遊技盤の前面とほぼ平行をなす水平軸回りに積極的に回転可能に設けられ、
前記回転体には、その外周部において径方向に開口しかつ前記ケーシングの開口窓に対応する受入れ位置において前記球待機部上の球を受入れて前記遊技盤の後面側へ移送した後に放出する球受部が設けられていることを特徴とする遊技機。
【請求項２】
請求項１に記載の遊技機であって、前記回転体は、前記球受部が前記開口窓側で上昇する方向に回転され、該球受部がその開口端面をほぼ前面に指向する位置を前記受入れ位置として前記球待機部上の球を受入れるように配置されていることを特徴とする遊技機。
【請求項３】
請求項１又は２に記載の遊技機であって、前記回転体は、その前端部が前記ケーシングの開口窓から前方へ突出するように配置されていることを特徴とする遊技機。
【発明の詳細な説明】
【０００１】
【発明の属する技術分野】
本発明は、例えばパチンコ機（雀球機、アレンジボール機等も含む）のような遊技機に関する。
【０００２】
【従来の技術】
従来の遊技機の入球装置には、ケーシングと回転体とを備えるものがある。ケーシングには、遊技盤の前面側の遊技領域内を流下する球を受止め可能な球待機部が設けられている。また、回転体は、ケーシングに対し遊技盤の前面に直交する水平軸回りに積極的に回転可能に設けられている。回転体には、その外周部において径方向及び軸方向に開口しかつ所定の受入れ位置において球待機部上の球を受入れて所定角度回転した後に前記遊技盤の後面側へ放出する球受部が設けられている（例えば、実用新案文献１参照。）。
【０００３】
【実用新案文献１】
実用新案登録第２５９２９２６号公報（第３−４頁、図１及び図３）
【０００４】
【発明が解決しようとする課題】
遊技機の入球装置は、遊技盤の遊技領域に対して、前記回転体の外周を取り囲むケーシングの外郭分の配置スペースが必要とされる。しかしながら、従来の入球装置では、回転体が遊技盤の前面に直交する水平軸回りに回転可能に配置されているために、遊技盤の遊技領域に対する配置スペースの増大を余儀なくされるという問題があった。
【０００５】
そこで、本発明が解決しようとする課題は、球受部を有する回転体を備えながら、遊技盤の遊技領域に対する入球装置の配置スペースを削減することのできる遊技機を提供することである。
【０００６】
【課題を解決するための手段】
前記した課題は、特許請求の範囲の欄に記載された構成を要旨とする遊技機により解決することができる。すなわち、特許請求の範囲の請求項１に記載された遊技機によると、入球装置のケーシングが遊技盤に装着された状態で、回転体が、ケーシングに対し遊技盤の前面とほぼ平行をなす水平軸回りに積極的に回転される。すると、ケーシングの球待機部上の球は、回転体の球受部がケーシングの開口窓に対応する受入れ位置に位置したときに該球受部に受入れられ、回転体の回転によって遊技盤の後面側へ移送された後に球受部から放出される。
ところで、入球装置の回転体が遊技盤の前面とほぼ平行をなす水平軸回りに回転可能に配置されており、該遊技盤の前面に対しほぼ直交する関係をなしている。これにより、入球装置は、遊技盤の遊技領域に対して回転体を取り囲むケーシングの外郭分の配置スペースが必要とされるものの、回転体の軸方向の配置スペースをその直径方向の配置スペースに比べて短くすることが可能である。このため、球受部を有する回転体を備えながら、遊技盤の遊技領域に対する入球装置の配置スペースを削減することができる。
【０００７】
また、特許請求の範囲の請求項２に記載された遊技機によると、回転体は、前球受部が開口窓側で上昇する方向に回転される。そして、回転体の球受部は、その開口端面をほぼ前面に指向する位置を受入れ位置として球待機部上の球を受入れる。このため、回転体の球受部に受入れた球がその回転体の回転によって受入れ位置から上昇する方向へ移送されることにより、球受部に対する流入が不完全な球は、球受部の開口端面の回転方向後側に位置する端縁部を支点に球受部に落とし込まれるか、もしくは、球待機部上へ振り落とされやすくなる。したがって、球受部に対する流入が不完全な球が、球受部の開口端面の回転方向後側に位置する端縁部と、それに対向するケーシングの壁面との間に噛み込まれるといった「球噛み」を良好に回避することができる。
【０００８】
また、特許請求の範囲の請求項３に記載された遊技機によると、回転体の前端部がケーシングの開口窓から前方へ突出されている。これにより、回転体の外周面によって球待機部上に待機させられる球を、遊技盤の前面に対面するガラス板等の透視板に近づけることができる。これにより、球待機部上に待機する球に乗り掛かる球がこぼれ落ちやすくなるため、その乗り掛かる球が球待機部上に待機する球と透視板との間に噛み込まれるといった「球噛み」を良好に回避することができる。
【０００９】
【発明の実施の形態】
本発明の一実施の形態を図面にしたがって説明する。本実施の形態では、遊技機として、例えば、「権利もの」とも呼ばれている第３種パチンコ機を説明する。まず、第３種パチンコ機の遊技盤の概要を述べる。また、遊技盤以外の構成は、周知のものと同様であるから、その説明は省略する。
図１２に示すように、遊技盤１０はほぼ四角形板状に形成されており、該遊技盤１０の前面には外側レール部１１ａと内側レール部１１ｂとを備える案内レール１１が設けられている。案内レール１１によって、球発射通路１３及び遊技領域１４が区画されている。球発射通路１３は、球発射装置（図示省略）から発射されたパチンコ球（以下、球という）Ｂを遊技領域１４内へ案内する。
【００１０】
前記遊技盤１０の前面には、前記遊技領域１４内のほぼ中央部に位置する電動式の普通役物装置２０と、その役物装置２０の下側に位置する権利発生装置３０が装着されている。なお、遊技盤１０の前面には、遊技領域１４内において、普通役物装置２０の上方と左方に位置する計２つの一般入賞器１８が装着されている。一般入賞器１８については周知のものであるから、その説明を省略する。また、遊技領域１４には多数の釘１５及び風車器１６が配設され、また、遊技領域１４の下端部にはアウト口１７が設けられている。
【００１１】
図１３に示すように、前記普通役物装置２０は、左右一対の開閉部材２１を備えている。両開閉部材２１の間が入球口２２となっている。両開閉部材２１は、電動モータ、電磁ソレノイド等の駆動源（図示省略）によって、開状態（図１３中、実線２１参照）と閉状態（図１３中、二点鎖線２１参照）とに切換えられる。
【００１２】
前記権利発生装置３０は、ほぼ中央部に図柄表示装置３１を備えている。図柄表示装置３１は、７セグメントからなる左右一対の表示部３２からなり、変動する抽選図柄を表示可能である。権利発生装置３０には、前記普通役物装置２０に流入した球Ｂを下方へ誘導する誘導路３３と、その誘導路３３から分岐された第１選別路３４と第１排出路３５が設けられている。第１選別路３４は、誘導路３３の下流端から左回り方向（図１３において反時計回り方向）に延びており、約１８０°の円弧状に形成されている。第１選別路３４には球検出器３４Ｓが設けられている。また、第１排出路３５は、誘導路３３の下流端から右回り方向（図１３において時計回り方向）に延びており、約３０°の円弧状に形成されている。第１排出路３５の下流端は、遊技盤１０の後側に設けられた裏集合樋（図示省略）に連通されている。第１選別路３４と第１排出路３５との分岐部には、軸３６により回動可能な切換部材３７が設けられている。切換部材３７は、電磁ソレノイド等の駆動源（図示省略）によって、第１位置（図１３中、実線３４参照）と第２位置（図１３中、実線３４参照）とに切換えられる。切換部材３７は、通常時は第１位置において第１選別路３４を開いて第１排出路３５を閉じている。また、切換部材３７は、第２位置への切換えにより、第１選別路３４を閉じて第１排出路３５を開く。
【００１３】
前記権利発生装置３０の下部には、前記第１選別路３４から分岐された第２排出路３８と第２選別路３９が設けられている。第２排出路３８は、第１選別路３４の下流端から前記遊技盤１０の裏集合樋（図示省略）に連通されている。また、第２選別路３９は、第１選別路３４の下流端から下方へ延びている。第２排出路３８と第２選別路３９との分岐部には、軸４０により回動可能な可動体４１が設けられている。可動体４１は、電磁ソレノイド等の駆動源（図示省略）によって、退避位置（図１３中、実線４１参照）と誘導位置（図１３中、二点鎖線４１参照）とに切換えられる。可動体４１は、通常時は退避位置において、第２排出路３８を開く。また、可動体４１は、誘導位置への切換えにより、第２排出路３８を閉じる。なお、第２選別路３９は、可動体４１の切換えに関係なく開かれている。
【００１４】
前記第２選別路３９の下流端に形成された回転体収納室（符号省略）内には、ほぼ円盤状の振分回転体４３が、電動モータ等の駆動源（図示省略）によって正逆回転可能に設けられている。振分回転体４３の外周面には、第２選別路３９から流下してくる１つの球Ｂを受入れ可能な球受部４４が凹設されている。また、回転体収納室の下端部には特定領域４６が連通され、その収納室の右側部には非特定領域４８が連通されている。特定領域４６には球検出器４６Ｓが設けられ、非特定領域４８には球検出器４８Ｓが設けられている。そして、振分回転体４３の球受部４４に受入れられた球Ｂは、該振分回転体４３の左回り方向（図１３において反時計回り方向）への回転によって特定領域４６へ放出され、また逆に、振分回転体４３の右回り方向（図１３において時計回り方向）への回転によって非特定領域４８へ放出される。
【００１５】
図１２に示すように、前記遊技領域１４には、前記権利発生装置３０の左下方に位置する普通役物作動器２３が装着されている。普通役物作動器２３には球検出器２３Ｓが設けられている。さらに、遊技領域１４には、権利発生装置３０の右方に位置する第３種始動装置５０（後述する）が装着されている。また、遊技領域１４には、第３種始動装置５０の下方に位置する大入賞口装置２４が装着されている。大入賞口装置２４は、大入賞口（符号省略）を開閉する開閉扉２５を備えている。開閉扉２５は、電動モータ、電磁ソレノイド等の駆動源（図示省略）によって開閉される。
【００１６】
次に、前記第３種始動装置５０を説明する。図５に示すように、第３種始動装置５０は、ケーシング５１と回転体７０とを備えている。ケーシング５１は、その主体をなすケーシング本体６０と、その本体６０の前面に一体化された前飾り部材５２とにより構成されている。なお、第３種始動装置５０は、本明細書でいう「入球装置」に相当する。
【００１７】
図１及び図２に示すように、前記前飾り部材５２は、例えば樹脂成形品で形成されており、前記遊技盤１０（図１２参照）の前面に対しビス等によって取付けられる取付板部５３を有している。取付板部５３のほぼ中央部には、ほぼ縦長四角形状の開口窓５４が開口されている。開口窓５４は、ほぼＵ字板状の球待機部５５上で回転体７０の前部を開放している。球待機部５５は、取付板部５３の開口窓５４の下縁部から前方に向けて突出されている。図５に示すように、球待機部５５のほぼＵ字状の周縁部には、上方へ所定の高さで突出する囲い壁部５６が形成されている。球待機部５５は、前記遊技領域１４（図１２参照）内を流下する球Ｂを受止め可能に形成されている。球待機部５５の上面と開口窓５４の下縁部によって、後下方に向かって緩やかに傾斜する傾斜面５７が形成されている。球待機部５５上の球Ｂは、傾斜面５７によって後方へ転動可能となっている。また、球待機部５５と取付板部５３とのなす隅角部には、回転体７０（後述する）の前下部の一部を嵌合可能な凹部５８が形成されている。さらに、取付板部５３の上端部には、ほぼＵ字状のガイドリング部５９が前方に向けて突出されている。ガイドリング部５９は、球待機部５５に対し整合する位置関係をもって形成されている。ガイドリング部５９内の円形の中空部は、球Ｂの外径よりも少し大きい球通過孔５９ａになっている（図３参照）。したがって、遊技領域１４内を流下する球は、ガイドリング部５９の球通過孔５９ａを通って球待機部５５上に流下して、該球待機部５５上に受止め可能になっている。また、ガイドリング部５９を通過した球Ｂが、その球Ｂに先行して球待機部５５上に受止められている球Ｂに当たって左右いずれかへこぼれ落ちることができるように、球待機部５５の囲い壁部５６とガイドリング部５９との間の間隔が設定されている。
【００１８】
図５に示すように、前記前飾り部材５２の後面に一体化されたケーシング本体６０には、前記開口窓５４の後側に連続する回転体収容室６６、及び、その収容室６６の後下部に連続する球通路６７が形成されている。球通路６７の下流端は、前記遊技盤１０の裏集合樋（図示省略）に連通されている。また、球通路６７の下流端には球検出器６７Ｓが設けられている。なお、各検出器２３Ｓ、３４Ｓ、４６Ｓ、４８Ｓ、６７Ｓは、それぞれ通過する球Ｂを検出し、その検出信号を制御装置（図示省略）に出力する。
【００１９】
前記回転体収容室６６には、ほぼ円盤状の回転体７０が配置されている。回転体７０には、同一軸線をなす水平軸７１が固定されている。水平軸７１の両端部は、前記ケーシング本体６０の左右両側壁（符号省略）に対して回転可能に支持されている。これにより、回転体７０は、前記遊技盤１０（図１２参照）の前面とほぼ平行をなす水平軸７１の軸回りに回転可能に設けられている。また、水平軸７１は、前記球待機部５５のほぼ真後ろ（図５において右方）に配置されている。また、ケーシング本体６０の両側壁は、回転体７０の左右両端面に所定の隙間を隔てて対面しかつ前記前飾り部材５２の開口窓５４の両側縁部及び前記球通路６７の両側壁（符号省略）にそれぞれ連続している。なお、水平軸７１の左端部は、ケーシング本体６０のギヤボックス６４（後述する）内に突出されている。
【００２０】
前記回転体７０は、その前端部（図５において左端部）が前記前飾り部材５２の開口窓５４から前方へ突出するように配置されている。これとともに、回転体７０の前下部の一部が前飾り部材５２の凹部５８内に所定の隙間を隔てて嵌合されている。なお、ケーシング本体６０の下側壁６２と前飾り部材５２の凹部５８の下縁部と球通路６７の前側壁６７ａとにより形成される回転体収容室６６の下壁面６６ｂは、回転体７０の下部に沿う一連の凹型円弧状をなしており、回転体７０の外周面７０ａに所定の隙間を隔てて対面する。
【００２１】
前記ケーシング本体６０の上側壁６１は、前記前飾り部材５２の開口窓５４の上縁部及び前記球通路６７の後側壁６７ｂの上端部に連続している。ケーシング本体６０の上側壁６１により形成される回転体収容室６６の上壁面６６ａの後半部は、回転体７０に沿う凹型円弧状をなしており、回転体７０の外周面７０ａに所定の隙間を隔てて対面する。また、上壁面６６ａの前半部は、前飾り部材５２の開口窓５４の上縁部から後方へ向かってほぼ水平に延びている。これにより、前飾り部材５２の開口窓５４の上縁部を含む上壁面６６ａと、その前端部から立ち上がる取付板部５３の前面部分とのなす隅角部６６ｃがほぼ直角に形成されている。また、上壁面６６ａと回転体７０の外周面７０ａとの間の隙間Ａは、回転体７０の上端部分から開口窓５４側に向かって次第に増大している。
【００２２】
前記回転体７０には、その外周部において径方向に開口するほぼＵ字溝状の１つの球受部７２が形成されている。球受部７２の左右両端面は、回転体７０の左右の両端面の一部を形成する両溝壁７３によって閉塞されている（図２参照）。また、球受部７２は、球Ｂの一端部Ｂａを突出させた状態で受入れ可能に形成されている（図７参照）。また、回転体７０は、回転体駆動手段８０（後述する）によって、球受部７２が前記開口窓５４側で上昇する方向（図５中、矢印Ｙ参照）に積極的に回転される。また、回転体７０は、図６に示すように、球受部７２の開口端面をほぼ前方に指向する位置を開口窓５４に対応する受入れ位置（図６参照）として、球待機部５５上から傾斜面５７を転動してくる球Ｂを球受部７２に受入れる（図６中、二点鎖線Ｂ参照）。そして、球受部７２内の球Ｂは、回転体７０の回転によって、上死点（図７参照）を経て後方（図７において右方）へ移送された後、図８示される球放出位置において前記球通路６７へ放出される。
【００２３】
図８に示すように、前記回転体７０の球受部７２が球放出位置において球Ｂを放出するときに、前記開口窓５４に面する回転体７０の外周面７０ａの部分には、例えば「☆」や「入賞」等のマーク７４を付すとよい。このようにすると、遊技者は、目Ｍでマーク７４を見ることによって、回転体７０の球受部７２から球Ｂが放出されたことを間接的に認識することができる。また、回転体７０を透視可能な材料で形成するとよい。このようにすると、遊技者は、目Ｍで回転体７０を透視して球Ｂの行方を間接的に認識することができる。
【００２４】
図１に示すように、前記ケーシング本体６０の左側部には、ほぼ四角形板状のギヤボックス６４が設けられている。ギヤボックス６４は、前記前飾り部材５２の後面に連続して後方に延びる縦壁状に形成されている。また、前記回転体駆動手段８０は、回転体７０を所定速度で連続的に回転させるもので、図４に示すように、電動式の駆動モータ８１とギヤ伝動機構８４とにより構成されている。駆動モータ８１は、前記ギヤボックス６４（図１参照）の後部の右側面に設置されており、その出力軸８２（図４参照）がギヤボックス６４内に突出されている。また、ギヤ伝動機構８４は、ギヤボックス６４内に配置された出力ギヤ８５と、該出力ギヤ８５に噛合う中間ギヤ８６と、該中間ギヤ８６に噛合う従動ギヤ８９とにより構成されている。出力ギヤ８５は、駆動モータ８１の出力軸８２上に配置されている。中間ギヤ８６は、ギヤボックス６４に回転可能に支持された中間軸８７上に配置されている。従動ギヤ８９は、回転体７０の水平軸７１上に配置されている。したがって、駆動モータ８１の駆動力は、出力ギヤ８５から中間ギヤ８６、従動ギヤ８９へと順に伝達される。これによって、回転体７０が一方向、すなわち球受部７２が開口窓５４側で上昇する方向（図５中、矢印Ｙ参照）へ積極的に回転される。また、第３種始動装置５０は、図３及び図５に示すように、ケーシング本体６０を遊技盤１０の取付孔１０ａ内に前面側から挿入した状態で、前飾り部材５２を遊技盤１０にビス、釘等の固定手段（図示省略）により固定することによって、該遊技盤１０に装着される。
【００２５】
次に、上記したパチンコ機で遊技を行う場合を説明する。図１２において、球発射通路１３に球発射装置（図示省略）によって発射された球Ｂは、遊技盤１０の遊技領域１４に流入し、多数の釘１５や風車器１６等に当たってはね返りながら遊技領域１４を流下する。このとき、遊技領域１４内に打ち出された多数の球Ｂのうち、一部の球Ｂは一般入賞器１８、普通役物作動器２３、普通役物装置２０等に流入し、それ以外の球Ｂはアウト口１７を経て機外へ排出される。
【００２６】
前記普通役物作動器２３に流入した球Ｂが球検出器２３Ｓによって検出されると、その検出信号に基づいて制御装置が出力する駆動信号によって、普通役物装置２０の駆動源が駆動される。これによって、開閉部材２１が所定時間（例えば、０．５秒）だけ開放された後で閉じられる。また、図１３に示すように、普通役物装置２０を通過した球Ｂは、権利発生装置３０の誘導路３３へ流下する。そして、誘導路３３からの球Ｂは、切換部材３７が第１位置（図１３中、実線３４参照）にあるため、第１選別路３４へ誘導される。第１選別路３４に流入した球Ｂが球検出器３４Ｓによって検出されると、その検出信号に基づいて制御装置が出力する駆動信号によって、切換部材３７の駆動源及び可動体４１の駆動源が駆動されるとともに、図柄表示装置３１の抽選図柄が変動される。これにより、切換部材３７が第２位置（図１３の二点鎖線３７参照）に切換えられるため、誘導路３３からの球Ｂは第１排出路３５へ誘導される。また、可動体４１が誘導位置（図１３の二点鎖線４１参照）に切換えられるため、第１選別路３４からの球Ｂは、第２選別路３９を経て振分回転体４３の球受部４４に受け入れられ。なお、可動体４１は、所定時間（例えば、２〜３秒）だけ誘導位置に切換えられた後で退避位置（図１３の実線４１参照）に戻される。
【００２７】
前記図柄表示装置３１の抽選図柄は、所定時間（例えば、５〜６秒）だけ変動した後で停止する。そして、図柄表示装置３１の抽選図柄が「大当たり」の図柄、例えば「１と１」、「３と３」、「５と５」、「７と７」のいずれかの図柄で停止した場合は、振分回転体４３が左回り方向（図１３において反時計回り方向）に回転され、球受部４４内の球Ｂが特定領域４６に放出された後で元の位置に戻される。特定領域４６に流入した球Ｂが球検出器４６Ｓによって検出されると、その検出信号に基づいて制御装置が「大当たり」を確定する。また、図柄表示装置３１の抽選図柄が「大当たり」以外の図柄で停止した場合は、振分回転体４３が右回り方向（図１３において時計回り方向）回転され、球受部４４内の球Ｂが非特定領域４８に放出された後で元の位置に戻される。非特定領域４８に流入した球Ｂが球検出器４８Ｓによって検出されると、その検出信号に基づいて制御装置が出力する駆動信号によって、切換部材３７の駆動源が駆動される。これによって、切換部材３７が第１位置（図１３中、実線３４参照）に戻される。
【００２８】
また、図５において、第３種始動装置５０の回転体７０は、パチンコ機の電源スイッチがＯＮされると同時に駆動モータ８１が駆動されることによって、連続的にかつ一方向（図５中、矢印Ｙ参照）に所定速度、例えば１０秒で１回転する速度で連続的に回転される。また、前記遊技領域１４を流れる球Ｂのうちの１個の球Ｂが、第３種始動装置５０のガイドリング部５９を通過して球待機部５５上に受止められる。また、ガイドリング部５９を通過する球Ｂのうち、球待機部５５上に受け止められた球Ｂに後続する球Ｂは、その球待機部５５上に受け止められた球Ｂに当たり、左右いずれかへこぼれ落ちる。また、回転体７０の球受部７２が受入れ位置以外の位置（図５、図７、図８参照）で、球待機部５５上に受止められた球Ｂは、回転体７０の外周面７０ａによって該球待機部５５上に待機させられる。
【００２９】
そして、図６に示すように、回転体７０が受入れ位置に回転したときには、前記球待機部５５の球Ｂが傾斜面５７を転動して、該回転体７０の球受部７２に受入れられる（図６中、二点鎖線Ｂ参照）。その後、球受部７２の球Ｂは、回転体７０の回転によって、遊技盤１０の後面側へ移送されながら上昇されて上死点に至った後（図７参照）、下降されて球放出位置（図８参照）に至ることによって球通路６７へ放出される。その球Ｂは、球通路６７から遊技盤１０の裏集合樋（図示省略）へ流れる。
【００３０】
また、球通路６７を通過した球Ｂが球検出器６７Ｓによって検出されると、その検出信号に基づいて制御装置が出力する駆動信号によって、大入賞口装置２４（図１２参照）の駆動源が駆動される。これによって、開閉扉２５が開かれた後、例えば大入賞口装置２４に１０個の球Ｂが流入するか、あるいは開閉扉２５を開いて所定時間（例えば、１０秒）が経過することによって開閉扉２５が閉じられる。このようにして、「当たり遊技」にかかる１ラウンドが終了する。さらに、開閉扉２５が閉じられた後、第３種始動装置５０に入賞して球通路６７を通過した球Ｂが球検出器６７Ｓによって検出されると、２ラウンド目が開始され、以下同様に、「当たり遊技」が例えば最長１６ラウンド行われることにより、「大当たり」にかかる遊技が終了する。
【００３１】
上記した第３種始動装置５０によると、回転体７０が遊技盤１０の前面とほぼ平行をなす水平軸回りに回転可能に配置されており、該遊技盤１０の前面に対しほぼ直交する関係をなしている（図２及び図５参照）。これにより、第３種始動装置５０は、遊技盤１０の遊技領域１４に対して回転体７０を取り囲むケーシング５１の外郭分の配置スペースが必要とされるものの、回転体７０の軸方向（図２において左右方向）の配置スペースを回転体７０の直径方向の配置スペースに比べて短くすることが可能である。このため、球受部７２を有する回転体７０を備えながら、遊技盤１０の遊技領域１４に対する第３種始動装置５０の配置スペースを削減することができる。
【００３２】
また、前記回転体７０は、球受部７２が開口窓５４側で上昇する方向（図５中、矢印Ｙ参照）に回転される。そして、回転体７０の球受部７２は、開口端面をほぼ前面に指向する位置を受入れ位置として球待機部５５上の球Ｂを受入れる（図６中、二点鎖線Ｂ参照）。このため、回転体７０の球受部７２に受入れた球Ｂが、その回転体７０の回転によって受入れ位置から上昇する方向へ移送されることによって、球受部７２に対する流入が不完全な球Ｂ（図９参照）は、球受部７２の開口端面の回転方向後側の端縁部７２ａを支点として、図９に矢印Ｙ１で示すように球受部７２へ落とし込まれるか、あるいは図９に矢印Ｙ２で示すように球待機部５５上へ振り落とされやすくなる。したがって、球受部７２に対する流入が不完全な球Ｂが、球受部７２の前記端縁部７２ａと、それに対向するケーシング５１の開口窓５４の上端縁及び／又は回転体収容室６６の上壁面６６ａとの間に噛み込まれるといった「球噛み」を良好に回避することができる。
【００３３】
さらに、ケーシング５１の上壁面６６ａと回転体７０の外周面７０ａとの間の隙間Ａが、回転体７０の上端部分から開口窓５４側に向かって次第に増大されている（図５参照）。このため、球受部７２に対する流入が不完全な球Ｂ（図９参照）が回転体収容室６６の上壁面６６ａに当たる場合には、上壁面６６ａによって球Ｂが図９に矢印Ｙ１で示すように球受部７２へ落とし込まれるか、あるいは図９に矢印Ｙ２で示すように球待機部５５上へ振り落とされることになる。したがって、球受部７２に対する流入が不完全な球Ｂが、球受部７２の前記端縁部７２ａと、それに対向するケーシング５１の開口窓５４の上端縁及び／又は回転体収容室６６の上壁面６６ａとの間に噛み込まれるといった「球噛み」を一層良好に回避することができる。
【００３４】
また、図１０に示すように、回転体７０の前端部（図１０に符号、７０ｂを付す）がケーシング５１の開口窓５４から前方へ突出されている。これにより、回転体７０の外周面７０ａによって球待機部５５上に待機させられる球Ｂ（符号、（１）を付記する）を、遊技盤１０の前面に対面するガラス板等の透視板１９に近づけることができる。これにより、球待機部５５上に待機する球Ｂ（１）の上端部近くに球Ｂ（符号、（２）を付記する）が乗り掛かるため、その球Ｂ（２）が球Ｂ（１）上から側方（図１０において紙面表裏方向）へこぼれ落ちやすくなる。このため、球Ｂ（１）と透視板１９との間に球Ｂ（２）が噛み込まれるといった「球噛み」を良好に回避することができる。この点に関して詳述する。例えば、図１１に示すように、回転体７０がケーシング５１内に収まっている場合には、回転体７０の外周面７０ａによって球待機部５５上に待機させられる球Ｂ（１）が透視板１９から離れた位置となる。したがって、球Ｂ（１）の前方近くで球Ｂ（２）が乗り掛かるために、球Ｂ（１）と透視板１９との間で球Ｂ（２）が受止められるようにして嵌り込むことによって、「球噛み」が発生しやすくなることが考えれる。しかし、図１０に示すように、回転体７０の前端部７０ｂがケーシング５１の開口窓５４から前方へ突出されることによって、前に述べたように、球Ｂ（１）に乗り掛かる球Ｂ（２）の「球噛み」を良好に回避することができる。なお、回転体７０がケーシング５１内に収まっている構成も本発明に含まれる。
【００３５】
本発明は上記した実施の形態に限定されるものではなく、本発明の要旨を逸脱しない範囲における変更が可能である。例えば、例えば、上記実施の形態においては、第３種始動装置５０に本発明を適用した場合を例示したが、第２種入賞装置、その他型式の入賞装置、単に球Ｂを通過させるだけのゲート装置等にも、本発明を採用することも可能である。また、ガイドリング部５９は省略してもよい。また、回転体７０は、上記実施の形態の方向（図５中、矢印Ｙ参照）とは逆方向に回転させてもよい。
【００３６】
【発明の効果】
以上述べたように、本発明によれば、入球装置の回転体が遊技盤の前面とほぼ平行をなす水平軸回りに回転可能に配置されるものであるから、球受部を有する回転体を備えながら、遊技盤の遊技領域に対する入球装置の配置スペースを削減することができる。
【図面の簡単な説明】
【図１】本発明の一実施の形態に係るパチンコ機の第３種始動装置を示す斜視図である。
【図２】同じく第３種始動装置を示す正面図である。
【図３】同じく第３種始動装置を示す平面図である。
【図４】第３種始動装置を示す左側面図である。
【図５】図２のＶ−Ｖ線矢視断面図である。
【図６】回転体の球受入れ位置を示す部分断面図である。
【図７】回転体の球受部が上死点に達した状態を示す部分断面図である。
【図８】回転体の球放出位置を示す部分断面図である。
【図９】回転体の球受部に対する球の流入が不完全な状態を示す部分断面図である。
【図１０】回転体とケーシングの開口窓との関係を示す部分断面図である。
【図１１】回転体とケーシングの開口窓との関係の別例を示す部分断面図である。
【図１２】第３種始動装置が装着されたパチンコ機の遊技盤を示す正面図である。
【図１３】権利発生装置を示す正面図である。
【符号の説明】
１０　遊技盤
１４　遊技領域
５０　第３種始動装置（入球装置）
５１　ケーシング
５４　開口窓
５５　球待機部
７０　回転体
７１　水平軸
７２　球受部
Ｂ　球
【図１】
2004057494.tif 000003
【図２】
2004057494.tif 000004
【図３】
2004057494.tif 000005
【図４】
2004057494.tif 000006
【図５】
2004057494.tif 000007
【図６】
2004057494.tif 000008
【図７】
2004057494.tif 000009
【図８】
2004057494.tif 000010
【図９】
2004057494.tif 000011
【図１０】
2004057494.tif 000012
【図１１】
2004057494.tif 000013
【図１２】
2004057494.tif 000014
【図１３】
2004057494.tif 000015